(57)【特許請求の範囲】
【請求項１】
略ハの字型に配列され、互いに連結された内端部を中心として、外端部同士が接近する閉位置と外端部同士が離反する開位置との間で回動可能な一対のアーム１０と、
前記一対のアーム１０間に装填されて、各アーム１０を前記開位置に向けて付勢するアームばね３３と、
前記一対のアーム１０の内端部および外端部にそれぞれ設けられ、ほぼ平坦な座面を有する座部２０と、
前記各座部２０の座面上にそれぞれ立設された、釣糸を巻きつけ可能な糸巻き軸３０と、
前記各座部２０の座面に対向して設けられ、前記糸巻き軸３０に巻き付けられた釣糸を前記座面とで挟み込むピンチ位置と、その釣糸の挟み込みを解除するリリース位置との間で、座面に対し接近および離反可能な挟持体４０と、を備え、
前記各糸巻き軸３０は、その軸方向にスライド可能に前記各座部２０の座面上に立設されており、
前記各挟持体４０は前記各糸巻き軸３０の端部に固定され、前記糸巻き軸３０の軸方向へのスライドにより前記ピンチ位置とリリース位置との間で移動可能であり、
前記各糸巻き軸３０は、前記座部２０をその座面から裏面にかけて貫通しており、
前記各糸巻き軸３０の前記座部２０の裏面側の端部には、前記座部２０の裏面に対向し、かつ糸巻き軸３０の軸心と垂直な軸線周りに回動可能な操作体５０が取り付けられており、
前記座部２０の裏面と前記操作体５０との対向面には、それぞれ嵌合凹凸部２１ｃ、５４が形成されており、
前記操作体５０を正転および反転させると、隣接する前記嵌合凹凸部２１ｃ、５４同士のカム作用により、前記糸巻き軸３０はその軸方向の順方向および逆方向にスライドし、かつその嵌合凹凸部２１ｃ、５４同士の嵌り合いおよび嵌り合いの解除により、前記挟持体４０は前記ピンチ位置およびリリース位置で固定される、釣糸結束補助具。
【請求項２】
前記座部２０の座面と前記挟持体４０の対向面には、それぞれ互いに補完形状をなす波型部２２ａ、４１が形成されている、請求項１に記載の釣糸結束補助具。
【請求項３】
前記座部２０と前記挟持体４０との間に装填され、前記挟持体４０をリリース位置に向けて付勢する座ばね２３をさらに備える、請求項１または２に記載の釣糸結束補助具。
【請求項４】
一対のアーム１０の前記閉位置で、両アーム１０の内端部の間に進入することでアーム１０を回動不能にロックし、かつ両アーム１０の内端部の間から退避させることでアーム１０の回動に対するロックを解除する、スライド可能なロック体６０をさらに備える請求項１から３のいずれかに記載の釣糸結束補助具。
【発明の詳細な説明】
【技術分野】
【０００１】
本発明は、手元側の釣糸であるメインラインと、ルアー側の釣糸であるリーダーとを結束する際に用いられる釣糸結束補助具に関する。
【背景技術】
【０００２】
ルアーフィッシングに、破断しにくく伸びにくい高強度の釣糸としてポリエチレン製の撚糸が用いられている。
このような釣糸は、撚糸であることから透明にすることができず、ルアーに直接結び付けた場合には、魚やイカなどの釣りの対象生物がこれを視認して警戒し、ルアーを避けるため好ましくない。
そこで、手元側の釣糸であるいわゆるメインラインは、この種の破断しにくい撚糸としておき、ルアー側の釣糸であるいわゆるリーダーは、強度的にはやや劣るが釣りの対象生物が視認できないナイロン製の透明モノフィラメントとし、両者を結束して用いることがおこなわれている。
【０００３】
ここでメインラインとリーダーを結束する際には、その結び目自体が釣糸の強度を低下させて結び目を起点に釣糸が破断するおそれがある。
そのため、強度の低下をできるだけ招かないような、いわゆる摩擦系の特殊な結び方が考案されているが、一般にこの種の結び方は複雑であり、手作業だけで結束をおこなうのは非常に手間がかかる。
このことから、結束作業を容易とするような補助器具としての釣糸結束補助具が開発されている。
【０００４】
たとえば特許文献１には、釣糸結束補助具として、バネ材からなる細長いアームと、アームの両端部および中央部に設けられた釣糸を巻きつけ可能な糸巻き軸と、からなるものが開示されている。
この釣糸結束補助具を使用する際には、まずアームを弓形にしならせて、両端部の糸巻き軸にそれぞれメインラインを巻き付けて、その両端部の糸巻き軸間にメインラインが緩みなく張った状態に固定する。
また中央部の糸巻き軸にリーダーの一端を巻き付けて固定し、そのリーダーの他端（自由端）を引っ張って、両端糸巻き軸間に張られたメインラインにリーダーがほぼ直交するように重ね合わせる。
この状態から、リーダーの自由端側を、リーダーとメインラインの交差個所の左右のメインライン外周を交互に上下にくぐらせつつ（巻き付けつつ）引っ張ってゆくと、順次結び目が編成され、リーダーとメインラインとは強固に結束される。
【先行技術文献】
【特許文献】
【０００５】
【特許文献１】特開２０１１−４７２６号公報
【発明の概要】
【発明が解決しようとする課題】
【０００６】
従来の釣糸結束補助具は、特許文献１のものに限らず、いずれも糸巻き軸への釣糸の固定が原則的に釣糸を巻き付けることのみによって行われていたため、釣糸がほどけやすい問題があった。
また、釣糸がほどけないようにきつく固定しようとすると、糸巻き軸へ釣糸を何回も巻きつけなければならず、手間がかかる問題があった。このような過剰な巻き付けは、釣糸に巻き癖が付いてしまうことからも好ましくない。
【０００７】
そこで本発明の解決すべき課題は、釣糸結束補助具について、釣糸の固定を簡単かつ確実におこなえるようにすることである。
【課題を解決するための手段】
【０００８】
上記課題を解決するため、本発明の釣糸結束補助具では、その糸巻き部の近傍に釣糸を挟み込む機構を設けたのである。
【０００９】
詳細には、本発明の釣糸結束補助具を、一対のアームと、アームばねと、座部と、糸巻き軸と、挟持体と、から構成したのである。
ここで一対のアームは、略ハの字型に配列されて、互いに連結された内端部を中心として、外端部同士が接近する閉位置と外端部同士が離反する開位置との間で回動可能である。
またアームばねは、一対のアーム間に装填されて、そのアームを前記開位置に向けて付勢する。
座部は、一対のアームの内端部および外端部にそれぞれ設けられ、ほぼ平坦な座面を有する。
糸巻き軸は、前記各座部の座面上にそれぞれ立設されている。
挟持体は、座部の座面に対向して設けられている。そして、糸巻き軸に巻き付けられた釣糸を前記座面とで挟み込むピンチ位置と、その釣糸の挟み込みを解除するリリース位置との間で、座面に対し接近および離反可能に構成されている。
【００１０】
この釣糸結束補助具を使用する際には、まず、一対のアームの外端部に設けられた糸巻き軸にそれぞれメインラインを巻き付け、挟持体をピンチ位置に移動させてそのメインラインを座面とで挟み込んで固定する。
これにより、アームの外端部の糸巻き軸間にメインラインが緩みなく張った状態に固定する。
同様に、アームの内端部の糸巻き軸にリーダーの一端を巻き付け、挟持体をピンチ位置に移動させてそのリーダーを座面とで挟み込んで固定する。
そして、そのリーダーの他端（自由端）を引っ張って、糸巻き軸間に張られたメインラインにリーダーがほぼ直交するように重ね合わせる。
この状態からリーダーの自由端側を、リーダーとメインラインの交差個所の左右のメインライン外周を交互に上下にくぐらせるなどして、両者の結束作業をおこなう。
【発明の効果】
【００１１】
釣糸を糸巻き軸に巻きつけた上に挟持体と座面とで挟み込んで固定するため、単に糸巻き軸に巻き付けるだけの場合に比べて、強固に固定することができる。
糸巻き軸へ釣糸を解けないように何回も巻きつける必要がなく、手間が省かれるうえ、釣糸に巻き癖が付くことも避けられる。
【図面の簡単な説明】
【００１２】
【図１】釣糸結束補助具の（ａ）は正面から見た斜視図、（ｂ）は釣糸結束補助具を背面から見た斜視図
【図２】釣糸結束補助具の（ａ）は上面図、（ｂ）は正面図、（ｃ）は側面図
【図３】釣糸結束補助具の全体分解斜視図
【図４】釣糸結束補助具の（ａ）は要部分解斜視図、（ｂ）は要部縦断面図
【図５】釣糸結束補助具のアームのロック機構を示す一部切り欠き正面図
【図６】釣糸結束補助具の使用状態を示す斜視図
【図７】リーダーとメインラインの結束作業を示す図
【発明を実施するための形態】
【００１３】
以下、図面を参照しつつ本発明の実施形態について説明する。
【００１４】
図１から図６に示す、実施形態の釣糸結束補助具１は、手元側の釣糸であるメインラインＬ１と、ルアー側の釣糸であるリーダーＬ２とを手作業で結束する際の補助器具として用いられ、その釣糸結束補助具１に対するメインラインおよびリーダーの固定を簡単かつ強固におこなうことができるものである。
なお図６のように、釣糸結束補助具１の全体寸法は、片手に収まる程度の大きさとなっておりその取り扱いが容易になっている。
【００１５】
図１から図５に示すように、実施形態の釣糸結束補助具１は、一対のアーム１０と、各アーム１０の端部に形成された座部２０と、各座部２０に立設された糸巻き軸３０と、各糸巻き軸３０の一端に固定された挟持体４０と、各糸巻き軸３０の他端に取り付けられた操作体５０と、アーム１０間に配置されたロック体６０と、各種のばね２３、３３と、から構成されている。
【００１６】
図１から図３のように、一対のアーム１０は、略ハの字型をなすように配列されている。各アーム１０は、細長くかつ一対のアームで左右対称形となる方向に湾曲しているアーム本体１１と、その内端部に形成された対向一対の軸受板１２、１３と、を有する。
ここで図３のように、アーム本体１１と軸受板１２、１３とは、アーム全体がくの字型に屈曲した形状となるように接続されている。
【００１７】
アーム本体１１の外縁には、リブ１１ａが設けられ、そのリブ１１ａに囲まれる内側の箇所には、円形の透孔１１ｂが長手方向に並列して設けられている。
また、それぞれ対向一対の軸受板１２、１３は、一方アームの軸受板１２を外側に、他方アームの軸受板１３を内側にして重なり合っており、この重なり合った状態で互いに連通する軸孔１２ａ、１３ａをそれぞれ有している。
さらに各アーム本体１１の外端部には、座部２０が形成されており、アーム１０の内端部に相当する軸受板１２にも、座部２０が形成されている。
【００１８】
図３および図４のように、各座部２０は、円板形の座本体２１と、円環形のピンチリング２２とからなる。
座本体２１の両面は、それぞれほぼ平坦な座面および裏面からなり、その座面および裏面間を貫通する長円形の軸孔２１ａが形成されている。また座面側の軸孔２１ａの周囲には、円環形のばね溝２１ｂが形成されている。
一方、座本体２１の裏面には、細長く窪んだ嵌合凹部２１ｃが設けられている。図示のように、嵌合凹部２１ｃは、前記長円形の軸孔２１ａからその短軸方向の両側へと延びている。
また座本体２１の座面には、ピンチリング２２が溶着等の適宜手段により固定されている。この固定状態で、座本体２１の軸孔２１ａとピンチリング２２の円環の中心とは一致している。
ピンチリング２２の外面（座本体２１に固定された面と逆側の面）には、ピンチリングの周方向に波打つ波型部２２ａが形成されている。
【００１９】
図３および図４のように、糸巻き軸３０は、略長円柱形で小径の細軸部３１と、円柱形で大径の太軸部３２とからなり、その細軸部３１が座部２０の軸孔２１ａに回転不能に挿通している。
糸巻き軸３０は細軸部３１が座部２０の軸孔２１ａに挿通された状態で、その軸方向の両方向にスライド可能となっている。
また太軸部３２の外周には、メインラインＬ１やリーダーＬ２などの釣糸が巻きつけ可能となっている。さらに太軸部３２の端面には、円環形のばね溝３２ａが形成されている。
【００２０】
ここで一対のアーム１０は、図３のように、その内端部において、糸巻き軸３０が座部２０から両軸受板１２、１３にかけてを挿通することで連結されている。
これによりアーム１０は、その外端部同士が接近する閉位置と、外端部同士が離反する開位置との間で、軸受板１２、１３を挿通する糸巻き軸３０を中心に回動可能となっている。
【００２１】
図３および図５のように、この両軸受板１２、１３を挿通する糸巻き軸３０には、対向一対の軸受板１３の間に収容されたトーションスプリングからなるアームばね３３が外嵌している。
アームばね３３の左右の脚部は、両アーム１０のアーム本体１１の内端部にそれぞれ接している。これにより、一対のアーム１０は、開位置にその回動方向が付勢されている。
【００２２】
図３および図４のように、各糸巻き軸３０の太軸部側の端部には、略円板形の挟持体４０が一体に形成されており、各座部２０の座面と対向している。
この挟持体４０の座部２０との対向面の外縁部には、周方向に波打つ波型部４１が形成されている。
図２のように、この波型部４１は、座部２０の各ピンチリング２２の波型部２２ａとほぼ過不足なく嵌り合う（噛み合う）補完形状をなしている。
糸巻き軸３０の軸方向の順方向および逆方向へのスライドにより、挟持体４０はその波型部４１と座部２０の波型部２２ａとが接近して糸巻き軸３０に巻きつけられた釣糸を挟み込むピンチ位置と、両波型部４１、２２ａが離反して釣糸を解放するリリース位置との間を移動可能となっている。
なお図４（ｂ）のように、前記ピンチ位置で糸巻き軸３０の太軸部３２は、ピンチリング２２の内側にはまり込むようになっている。
【００２３】
図３および図４のように、座部２０のばね溝２１ｂと糸巻き軸３０のばね溝３２ａとの間には、コイルスプリングとしての座ばね２３が圧縮された状態で装填されている。これにより、糸巻き軸３０および挟持体４０は、その挟持体４０が座部２０から離れる向き、すなわちリリース位置へと付勢されている。
【００２４】
また糸巻き軸３０の細軸側の端部には、略円板形の操作体５０が座部２０の裏面と対向するように配置されている。
図３および４のように、操作体５０は、その中心部に貫通する長円形の軸孔５１を有し、この軸孔５１に糸巻き軸３０の細軸部３１の端部が挿通している。
さらに糸巻き軸３０の細軸側の端部には、その長円の短軸方向に貫通するピン孔３１ａが設けられており、操作体５０にも軸孔５１から内部に延びるピン孔５２が設けられている。これらピン孔３１ａ、５２を挿通するピン５３を介して、操作体５０は、糸巻き軸３０に対してピン５３周りに回動可能に取り付けられている。
【００２５】
また、操作体５０の座部２０の裏面との対向面には、細長く膨らんだ嵌合凸部５４が設けられている。図示のように、嵌合凸部５４は、前記長円形の軸孔５１からその短軸方向の両側へと延びており、座部２０の嵌合凹部２１ｃと補完形状をなしている。
一方、操作体５０の前記座部２０との対向面と逆側の面には、操作体５０の指での操作を容易とするために、滑り止め５５が形成されている。
【００２６】
図４（ｂ）を参照して、嵌合凸部５４は、操作体５０を正転させると、座部２０の嵌合凹部２１ｃにはまり込むようになっており、操作体５０を反転させると座部２０の嵌合凹部２１ｃから抜け出て座本体２１の座面を押圧するようになっている。
嵌合凸部５４が嵌合凹部２１ｃにはまり込んだ状態では、挟持体４０は座部２０から離反してリリース位置にある。いっぽう嵌合凸部５４が嵌合凹部２１ｃから抜け出た状態では、その嵌合凸部５４の座面の押圧によるカム作用により、糸巻き軸３０は挟持体４０が座部２０に接近する向きにスライドして挟持体４０がピンチ位置へと移動する。
ここから今度は、操作体５０を正転させると、ふたたび嵌合凸部５４が嵌合凹部２１ｃにはまり込むと同時に糸巻き軸３０のスライドにより挟持体４０はリリース位置に移動するが、このリリース位置への復帰は座ばね２３の付勢により速やかになされる。
なお、ピンチ位置とリリース位置における挟持体４０の変位量を図４（ｂ）ではδで表している。
【００２７】
このように操作体５０を正転および反転操作することにより、挟持体４０をリリース位置とピンチ位置に容易に切り替え可能になっている。
操作体５０は、座部２０の裏面側に配置されているため、座部２０の座面側に釣糸を固定する際に、その釣糸が操作体５０に絡まったり干渉したりすることがなく、作業をスムーズにおこなうことができる。
なお、この実施形態とは逆に、操作体５０に嵌合凹部を設け、座部２０に嵌合凸部を設けてもよい。
【００２８】
図３および図５に示すように、ロック体６０は、長円環形のロックリング６１と、ロックリング６１からその長軸方向に延びるタブ６２と、からなる。
ロックリング６１は、アーム１０の軸受板１３間に収容され、糸巻き軸３０に外嵌している。ロックリング６１の周面にはスリット６１ａが形成され、アームばね３３の左右の脚部はこのスリット６１ａを挿通して両アーム本体１１の内端部へと架け渡されている。タブ６２は、左右のアーム１０のアーム本体１１の内端部の間の隙間から外部へと臨んでいる。
糸巻き軸３０に外嵌した状態で、ロックリング６１はその長軸方向に沿ってスライドさせることが可能となっている。
【００２９】
図５（ａ）のように、一対のアーム１０のアーム本体１１の内端間からロックリング６１が退避している場合には、左右のアーム１０の回動がそのロック体６０に拘束されることがないため、開位置と閉位置との間で自由に回動可能である。
いっぽう図５（ｂ）のように、アーム１０を閉位置にした状態でタブ６２を引っ張ってロック体６０をスライドさせ、そのロックリング６１をアーム本体１１の内端間に侵入させると、ロックリング６１が間に挟まることで、一対のアーム１０の開位置への回動が阻止される。これにより、アーム１０が閉位置でロックされる。タブ６２には、引っ張りを容易とするために、紐を結びつけておいてもよい。
釣糸結束補助具１を使用しないときには、このようにアーム１０を閉位置でロックしておくとコンパクトになるため、収容等が容易となる。
ふたたびロックを解除するには、タブ６２をつかんでロック体６０を釣糸結束補助具１の内部に押し込む方向にスライドさせ、ロックリング６１をアーム本体１１の内端間から退避させる。
【００３０】
実施形態の釣糸結束補助具１の構成は以上のようであり、次に図６および図７を参照して、その使用方法について説明する。
まずアーム１０の外端部にある各挟持体４０がリリース位置にある状態で、その外端部の糸巻き軸３０の太軸部３２にそれぞれメインラインＬ１を軽く巻き付ける。
ここから操作体５０を反転させて挟持体４０をピンチ位置に移動させ、メインラインＬ１を座部２０とで挟み込んで固定する。
両外端部の糸巻き軸３０についてこのような作業をおこなうことで、その糸巻き軸間にメインラインＬ１を緩みなく緊張した状態に固定する。
このときメインラインＬ１は、補完形状をなす座部２０の波型部２２ａと挟持体４０の波型部４１の間に挟みこまれるため、強固に固定される。
【００３１】
同様にアーム１０の内端部にある挟持体４０がリリース位置にある状態で、その内端部の糸巻き軸３０の太軸部３２にリーダーＬ２の一端を軽く巻き付ける。
ここから操作体５０を反転させて挟持体４０をピンチ位置に移動させ、リーダーＬ２を座部２０とで挟み込んで固定する。
リーダーＬ２も、両波型部２２ａ、４１の間に挟みこまれるため、強固に固定される。
この状態から、リーダーＬ２の他端（自由端）を手前に引っ張って、アーム１０の外端部にある糸巻き軸３０間に張られたメインラインＬ１の上にそのリーダーＬ２がほぼ直交するように重ね合わせる。
【００３２】
この状態から、図７（ａ）のように、リーダーＬ２の自由端側を、リーダーＬ２とメインラインＬ１の交差個所のたとえば左側のメインラインの外周を下から上にくぐらせて、もとの手前側に引っ張ると、図７（ｂ）のように、一つ目の左結びが形成される。
つぎに、図７（ｃ）のように、リーダーの自由端側を、リーダーとメインラインの交差個所のたとえば右側のメインラインの外周を下から上にくぐらせて、もとの手前側に引っ張ると、図７（ｄ）のように、右結びが形成され、一つ目の結び目Ｋ１が完成する。
【００３３】
同様に、リーダーＬ２の自由端側を、リーダーＬ２とメインラインＬ１の交差個所の左右側のメインラインの外周に交互にくぐらせて引っ張ってゆくと後続の結び目Ｋ２、Ｋ３・・・が連続的に形成されてゆく。
結び目の形成作業の進行にしたがって、糸巻き軸３０間に張られたメインラインＬ１がリーダーＬ２側へと引き寄せされてゆき、これにともなってアーム１０は、閉位置へ向けて回動する。この回動により、メインラインＬ１が張られた位置が、リーダーＬ２の上をアーム１０内端部の糸巻き軸３０から離れる向きに移動してゆく。
【００３４】
このリーダーＬ２のメインラインＬ１上の移動量が微少である場合には、先行の結び目と後続の結び目とがほぼ同じ位置で重なって形成されてしまい、いわゆるダマのようになってしまう問題がある。
実施形態の釣糸結束補助具１では、上述のように、アーム１０はそれぞれアーム本体１１と回動中心となる軸受板１２、１３とがくの字型に屈曲した状態に接続されているため、アーム本体１１の回動に伴うリーダーＬ２の移動量が、屈曲していない場合に比べて大きくなっている。そのため、先行する結び目と後続の結び目とが重なり合うことなく、結び目が綺麗に連続して形成される。
なお、この結束作業はあくまでも一例であって、この釣糸結束補助具１を用いて、この例とは異なる種々の結び目を形成することが可能である。
【００３５】
今回開示された実施形態はすべての点で例示であって制限的なものではないと考慮されるべきである。本発明の範囲は特許請求の範囲によって示され、特許請求の範囲と均等の意味および範囲内でのすべての修正と変形を含むものであることが意図される。
【符号の説明】
【００３６】
１  釣糸結束補助具
１０  アーム
１１  アーム本体
１１ａ  リブ
１１ｂ  透孔
１２、１３  軸受板
１２ａ、１３ａ  軸孔
２０  座部
２１  座本体
２１ａ  軸孔
２１ｂ  ばね溝
２１ｃ  嵌合凹部
２２  ピンチリング
２２ａ  波型部
２３  座ばね
３０  糸巻き軸
３１  細軸部
３１ａ  ピン孔
３２  太軸部
３２ａ  ばね溝
３３  アームばね
４０  挟持体
４１  波型部
５０  操作体
５１  軸孔
５２  ピン孔
５３  ピン
５４  嵌合凸部
５５  滑り止め
６０  ロック体
６１  ロックリング
６１ａ  スリット
６２  タブ
Ｌ１  メインライン
Ｌ２  リーダー
Ｋ１、Ｋ２  結び目
【図１】
0005830372.tif 000002
【図２】
0005830372.tif 000003
【図３】
0005830372.tif 000004
【図４】
0005830372.tif 000005
【図５】
0005830372.tif 000006
【図６】
0005830372.tif 000007
【図７】
0005830372.tif 000008